(57)【要約】【課題】フィット感に優れ、かつ着用者のバストに自然な揺れをもたらすことが可能なカップ付き女性用衣類を提供する。【解決手段】ブラジャー１では、カップ部１０の肉厚調整により、バストトップが前方側に押し出されるようにサポートされる。ここで、ブラジャー１では、脇側パネル部２０の上縁部分２０ｂとバック部３０の上縁部分３０ａとの間で形成された段差部Ｓにより、バストの脇側部分にかかる締め付け力が軽減され、動きの自由度が確保されている。また、左右のカップ部１０，１０は、前中心部５０により、下縁部分１２側をフリーにした状態で、前後に捻れ自在に連結されている。したがって、ブラジャー１では、高い重心位置で、かつ緩やかな締め付け力でサポートされたバストが、少しの力で左右別々に動くことが可能となっており、着用者のバストに自然な揺れをもたらすことができる。【選択図】図１
2009102769.tif 000002
【特許請求の範囲】
【請求項１】
バストを覆うように左右一対に形成され、バストトップを着用者の前方側に押し出すように、バストサイズに応じた肉厚を有するカップ部と、
前記カップ部の下縁部分に沿って延在する円弧状のワイヤ部と、
前記ワイヤ部の脇側部分に連結されると共に、上縁部分が下方に延び、前記ワイヤ部側から背側に向かうに従って幅が狭くなる脇側パネル部と、
前記脇側パネル部に連結されて背側に延在し、前記脇側パネル部の上縁部分との間で段差部を形成するバック部と、
前記カップ部が前後に捻れ自在になるように、前記ワイヤ部における中心側の端部同士を連結する前中心部と、
を備えたことを特徴とするカップ付き女性用衣類。
【請求項２】
前記カップ部の前面側を覆うように設けられた伸縮性を有するカップ布と、
前記カップ部と前記バック部とを連結する肩ストラップ部とを更に備え、
前記肩ストラップ部は、前記カップ布の脇側部分に連結される第１連結部と、前記第１連結部よりも前記前中心寄りの位置で前記カップ部における上縁部分の脇側に連結される第２連結部とを有することを特徴とする請求項１記載のカップ付き女性用衣類。
【請求項３】
前記カップ部の上縁部分は、バストトップの位置に対応するように中央で上向きに湾曲し、かつバストの脇側において下向きに湾曲していることを特徴とする請求項２記載のカップ付き女性用衣類。
【発明の詳細な説明】
【技術分野】
【０００１】
本発明は、乳房を覆う左右一対のカップ部を有するカップ付き女性用衣類に関する。
【背景技術】
【０００２】
ブラジャーを始めとするカップ付き女性用衣類において、近年では、バストをサポートする保護機能に加え、バストを形良く持ち上げて整えるバストアップ機能を奏するものが多く登場している。例えば特許文献１に記載のブラジャーでは、カップ部の脇側と背中側のフック部とを連結する下部脇布と、カップ部の下縁側と肩ストラップの先端側とを連結する上部脇布とを備え、下部脇布と上部脇布とが部分的に重なり合うように構成されている。
【特許文献１】特開２００５−１５４９７２号公報
【発明の開示】
【発明が解決しようとする課題】
【０００３】
しかしながら、上述したような従来のブラジャーでは、バストアップ機能の強化にあたり、脇側から寄せたバストを上方に寄せ、これをカップ部によって前側から押さえ付けている。そのため、着用者のバストには、常に強い締め付け力が加わることとなり、日常の動作を行なう際の自然な揺れが阻害されるものとなっていた。また、強い締め付け力により、着用者の肌にカップ部等が食い込み易く、フィット感に欠けるといった問題もあった。
【０００４】
本発明は、上記課題の解決のためになされたものであり、フィット感に優れ、かつ着用者のバストに自然な揺れをもたらすことが可能なカップ付き女性用衣類を提供することを目的とする。
【課題を解決するための手段】
【０００５】
上記課題の解決のため、本発明に係るカップ付き女性用衣類は、バストを覆うように左右一対に形成され、バストトップを着用者の前方側に押し出すように、バストサイズに応じた肉厚を有するカップ部と、カップ部の下縁部分に沿って延在する円弧状のワイヤ部と、ワイヤ部の脇側部分に連結されると共に、上縁部分が下方に延び、ワイヤ部側から背側に向かうに従って幅が狭くなる脇側パネル部と、脇側パネル部に連結されて背側に延在し、脇側パネル部の上縁部分との間で段差部を形成するバック部と、カップ部が前後に捻れ自在になるように、ワイヤ部における中心側の端部同士を連結する前中心部と、を備えたことを特徴としている。
【０００６】
このカップ付き女性用衣類では、カップ部の肉厚調整により、バストトップが前方側に押し出されるようにサポートされ、着用者のバストが張りのある形に造形される。一方、このようなバストのサポートは、着用者のバストの重心を上方側かつ前方側に位置させる。ここで、このカップ付き女性用衣類では、脇側パネル部の上縁部分とバック部とによって形成された段差部により、バストの脇側部分にかかる締め付け力が軽減され、動きの自由度が確保されている。さらに、左右のカップ部は、ワイヤ部における中心側の端部同士を連結する前中心により、下縁部分側をフリーにした状態で、前後に捻れ自在に連結されている。したがって、このカップ付き女性用衣類では、高い重心位置で、かつ緩やかな締め付け力でサポートされたバストが左右別々に動くことが可能となっており、これにより、着用者のバストに日常の動作に伴う自然な揺れをもたらすことができる。また、上述した締め付け力の軽減は、着用者の肌へのカップ部等の食い込みを防止し、優れたフィット感を実現する。
【０００７】
また、カップ部の前面側を覆うように設けられた伸縮性を有するカップ布と、カップ部とバック部とを連結する肩ストラップ部とを更に備え、肩ストラップ部は、カップ布の脇側部分に連結される第１連結部と、第１連結部よりも前中心寄りの位置でカップ部における上縁部分の脇側に連結される第２連結部とを有することが好ましい。こうすると、カップ部の上縁部分の脇側が、着用時に上側及び脇側に引っ張られると共に、カップ布によって肌側に倒れ込むようになる。これにより、バストへの締め付け力を増加させることなく、カップ部をバストに一層フィットさせることができる。
【０００８】
また、カップ部の上縁部分は、バストトップに対応するように中央で上向きに湾曲し、かつバストの脇側において下向きに湾曲していることが好ましい。これにより、カップ部の上縁部分の肌側が、より一層肌側に倒れ込み易くなり、バストトップのちら見え防止効果が得られる。
【発明の効果】
【０００９】
本発明に係るカップ付き女性用衣類によれば、優れたフィット感を確保でき、かつ着用者のバストに自然な揺れをもたらす。
【発明を実施するための最良の形態】
【００１０】
以下、図面を参照しながら、本発明に係るカップ付き女性用衣類の好適な実施形態について説明する。
【００１１】
図１は、本発明に係るカップ付き女性用衣類の一例であるブラジャーの正面図である。また、図２は、その背面図である。図１及び図２に示すブラジャー１は、バストをサポートする保護機能、及びバストを形良く持ち上げて整えるバストアップ機能を発揮するワイヤフォーム型ブラジャーである。このブラジャー１は、左右一対のカップ部１０と、脇側パネル部２０と、バック部３０と、肩ストラップ部４０と、前中心部５０とによって構成されている。なお、以下の説明では、ブラジャー１のサイズがＣカップ又はＤカップである場合について例示する。
【００１２】
カップ部１０は、例えば不織布や発泡ポリウレタンといった一定の保形性及び弾力性を有する素材によって形成され、着用者のバストの形状に対応させた椀形状となっている。カップ部１０の上縁部分１１は、バストトップの位置に対応するように中央で上向きに湾曲する第１の部分１１ａと、第１の部分１１ａに連続し、バストの脇側において下向きに湾曲する第２の部分１１ｂとを有し、全体としてＳ字状のカーブを描いている。カップ部１０の下縁部分１２は、バストのバージスラインに合わせるように下向きに湾曲して形成されている。カップ部１０の脇縁部分１３は、中心側に向かって緩やかに湾曲して形成されている。
【００１３】
また、カップ部１０は、図２及び図３に示すように、バストサイズに応じた肉厚を有している。同図に示す例では、下縁部分１２の形状に合わせて下向きに湾曲する肉厚部分Ｆがバストカップ部１０の下部に形成されている。この肉厚部分Ｆは、バストトップを着用者の前方側に押し出すようにバストの下部をサポートする。この結果、着用者のバストの重心位置は、ブラジャー１の非着用時に比べて上方側かつ前方側に変位することとなる。
【００１４】
このようなカップ部１０には、ワイヤ部１４と、カップ布１５とが設けられている。ワイヤ部１４は、カップ部１０の下縁部分１２に沿った円弧状をなしており、下縁部分１２の肌側に縫着されている。ワイヤ部１４の芯材には、例えば形状記憶合金などの金属や、剛性のあるプラスチック等が用いられる。芯材は、不織布などの柔らかい素材からなるバイアステープに包まれ、縫い込まれた状態となっている。
【００１５】
カップ布１５は、例えば伸縮性の高いレース素材（ストレッチレース）によって形成され、カップ部１０の前面側を覆っている。カップ布１５は、カップ部１０とほぼ同形状となっているが、カップ布１５の上縁部分１５ａの脇側は、カップ部１０における上縁部分１１の第２の部分１１ｂよりも上方まで延びている。カップ布１５の下縁部分１５ｂ及び脇縁部分１５ｃは、カップ部１０の下縁部分１２及び脇縁部分１３にそれぞれ縫着されている。カップ布１５の上縁部分１５ａは、中央部分のみがカップ部１０における上縁部分１１の第１の部分１１ａに縫着され、その他の部分はフリーになっている。
【００１６】
脇側パネル部２０は、例えばパワーネットのように可撓性及び保形性を有する非伸縮性又は難伸縮性の素材によって形成され、カップ部１０における下縁部分１２の脇側、及びワイヤ部１４の脇側に縫着されている。この脇側パネル部２０は、ワイヤ部１４側から背側に向かうに従って、上下方向の幅が徐々に狭くなるような略三角形状をなしている。脇側パネル部２０の下縁部分２０ａは、ワイヤ部１４との縫着部分から略水平に延びており、脇側パネル部２０の上縁部分２０ｂは、ワイヤ部１４における脇側の端部１４ａから下方に向かって斜めに延びている。
【００１７】
バック部３０は、例えばパワーネットなどの伸縮性を有する素材によって形成されている。バック部３０の基端側は、脇側パネル部２０における上縁部分２０ｂの先端側に縫着され、バック部３０の先端側は、背側に向かって帯状に延びている。このようなバック部３０の構成により、バック部３０の上縁部分３０ａと脇側パネル部２０の上縁部分２０ｂとの間には、図４に示すように、鈍角のＶ字状をなす段差部Ｓが形成されている。バック部３０の背側の端部にはホック３１が設けられており、左右のバック部３０は、このホック３１によって係脱自在に連結される。
【００１８】
脇側パネル部２０及びバック部３０の前面側には、例えばカップ布１５と同様のストレッチレースからなる脇布３２が設けられている。脇布３２は、脇側パネル部２０と同様に、ワイヤ部１４側から背側に向かうに従って、上下方向の幅が徐々に狭くなるような略三角形状をなしている。脇布３２の下縁部分３２ａは、脇側パネル部２０の下縁部分２０ａ及びバック部３０の下縁部分３０ｂに沿ってバック部３０の中央付近まで延びており、脇布３２の上縁部分３２ｂは、ワイヤ部１４における脇側の端部１４ａから、脇側パネル部２０の上縁部分２０ｂよりも緩やかな角度で下方に向かって斜めに延びている。
【００１９】
この脇布３２の基端側は、脇側パネル部２０と共に、カップ部１０における下縁部分１２の脇側、及びワイヤ部１４の脇側に縫着されている。また、脇布３２は、脇側パネル部２０の下縁部分２０ａとバック部３０の下縁部分３０ｂとに沿うライン、及び脇側パネル部２０の上縁部分に沿うラインで、脇側パネル部２０及びバック部３０に縫着されている。脇布３２の上縁部分３２ｂは、脇側パネル部２０の上縁部分２０ｂ、及びバック部３０の上縁部分３０ａの基端側よりも上方に位置している。これにより、上述した段差部Ｓは、脇布３２によって肌側に隠れるようになっている。
【００２０】
肩ストラップ部４０は、カップ部１０の上部とバック部３０の背側とを結ぶように掛け渡されている。肩ストラップ部４０には、長さ調整具４１が介設されており、着用者の体型に合わせた長さ調整が可能となっている。また、肩ストラップ部４０とカップ部１０とを連結するための構成として、図５に示すように、肩ストラップ部４０におけるカップ部１０側の端部は、二股に分岐している。二股の各分岐部分は、それぞれ第１連結部４２及び第２連結部４３となっている。
【００２１】
第１連結部４２は、カップ部１０の脇縁部分１３に沿ってワイヤ部１４における脇側の端部１４ａまで帯状に延びており、カップ部１０の脇縁部分１３及びカップ布１５の脇縁部分１５ｃに縫着されている。第２連結部４３は、第１連結部４２に比べて細い帯状をなしている。第２連結部４３は、第１連結部４２よりも前中心部５０側で、カップ部１０の上縁部分１１から僅かに下側となる位置まで伸び、この位置でカップ部１０の前面側に縫着されている。第２連結部４３の縫着部分は、カップ布１５によって隠れた状態となっている。
【００２２】
前中心部５０は、左右のカップ部１０，１０を互いに連結する部分である。前中心部５０は、可撓性を有する素材を成形・縫製して得られた２本の紐を中央でクロスさせることによって形成され、左右のカップ部１０，１０における前記ワイヤ部１４の中心側の端部１４ｂにそれぞれ縫着されている。このような前中心部５０により、左右のカップ部１０，１０は、前後に捻れ自在となっている。
【００２３】
以上のような構成を有するブラジャー１では、カップ部１０の肉厚調整により、図６（ａ）に示す非着用状態に比べて、図６（ｂ）に示すように、バスト下部が上方に押し上げられると共に、バストトップが前方側に押し出されるようにサポートされる。これにより、着用者のバストが張りのある形に造形され、美しいバストシルエットが生み出される。
【００２４】
一方、このようなバストのサポートは、着用者のバストの重心を上方側かつ前方側に変位させる。ここで、ブラジャー１では、脇側パネル部２０の上縁部分２０ｂとバック部３０の上縁部分３０ａとの間で形成された段差部Ｓにより、バストの脇側部分にかかる締め付け力が軽減され、動きの自由度が確保されている。これに加えて、左右のカップ部１０，１０は、ワイヤ部１４の中心側の端部１４ｂ同士を連結する前中心部５０により、下縁部分１２側をフリーにした状態で、前後に捻れ自在に連結されている。
【００２５】
したがって、このブラジャー１では、図７に示すように、高い重心位置で、かつ緩やかな締め付け力でサポートされたバストが、少しの力で左右別々に動くことが可能となっており、歩く、立ち上がる、笑うといった日常の動作に伴って、着用者のバストに自然な揺れをもたらすことができる。
【００２６】
また、ブラジャー１では、バストを前方に押し出させる目的から、カップ部１０によるバストへの締め付け力は、極めて小さく抑えられている。段差部Ｓは、上述したように、バストの脇側部分にかかる締め付け力を軽減する作用を有している。このような締め付け力の軽減は、着用者の肌へのカップ部１０・バック部３０等の食い込みを防止し、優れたフィット感を実現する。食い込みの生じ易い箇所は、ストレッチレースからなるカップ布１５及び脇布３２で肌側に隠れているので、一層の美観が保たれる。
【００２７】
さらに、ブラジャー１では、肩ストラップ部４０の第１連結部４２がカップ部１０の脇縁部分１３及びカップ布１５の脇縁部分１５ｃに縫着され、第２連結部４３が第１連結部４２よりも前中心部５０側でカップ部１０の前面側に縫着されている。また、カップ部１０の上縁部分１１は、バストトップに対応するように中央で上向きに湾曲する第１の部分１１ａと、バストの脇側において下向きに湾曲する第２の部分１１ｂとによって、略Ｓ字状となっている。
【００２８】
したがって、着用時において、カップ部１０の第２の部分１１ｂが上側及び脇側に引っ張られると共に、カップ布１５によって第１の部分１１ａが肌側に倒れ込むようになる。これにより、バストへの締め付け力を増加させることなく、カップ部１０をバストに一層フィットさせることができる。このことは、バストの自然な揺れをもたらすブラジャー１において、バストのちら見え防止も実現する。
【００２９】
続いて、本発明に係るブラジャーのモニター試験結果について説明する。
【００３０】
このモニター試験では、実施例として図１及び図２に示したブラジャー１と同様の構成を有するブラジャーを用意し、比較例として、カップ部の肉厚が一様で、ブラジャー１のような段差部Ｓ及び前中心部５０を有していないブラジャーを用意した。
【００３１】
そして、カップサイズがＣカップ・Ｄカップの場合と、カップサイズがＥカップ・Ｆカップの場合とで、着用時にバストが揺れる感じを受けるかどうかを、「確実にそう感じる」、「どちらかというとそう感じない」、「どちらとも言えない」、「どちらかというとそう感じない」、「確実にそう感じない」の５段階で評価した。なお、モニターは、Ｃカップ・Ｄカップの場合では、２０代の女性（５名）及び３０代の女性（４名）の計９名とし、Ｅカップ・Ｆカップの場合では、２０代の女性（３名）及び３０代の女性（２名）の計５名とした。
【００３２】
図８は、モニター試験結果を示す図である。同図に示すように、Ｃカップ・Ｄカップの場合、実施例では、着用時のバストの揺れを「確実にそう感じる」と回答した人が５人、「どちらかというとそう感じる」と回答した人が３人であったのに対し、比較例では、「確実にそう感じる」と回答した人が１人、「どちらかというとそう感じる」と回答した人が３人であった。
【００３３】
また、Ｅカップ・Ｆカップの場合、実施例では、着用時のバストの揺れを「確実にそう感じる」「どちらかというとそう感じる」と回答した人がそれぞれ２人であったのに対し、比較例では、「どちらかというとそう感じる」と回答した人が１人いるだけにとどまった。
【００３４】
以上の結果から、本発明のように、着用者のバストの重心を上方側かつ前方側に変位させると共に、段差部Ｓによってバストの脇側部分にかかる締め付け力を軽減し、左右のカップ部を前後に捻れ自在に前中心で連結する構成が、着用者のバストに自然な揺れをもたらすことが確認された。
【００３５】
本発明は、上記実施形態に限られるものではない。例えばカップ部１０の肉厚、上縁部分１１の湾曲形状、肩ストラップ部４０の縫着位置などは、ブラジャー１のサイズごとに適宜調整してもよい。例えばブラジャーのサイズがＡカップ・Ｂカップである場合は、図９（Ａ）に示すように、カップ部１０の肉厚を縁部の除いて厚くすることが好ましい。また、図９（Ｂ）に示すように、カップ部１０における上縁部分１１の第１の部分１１ａを、ブラジャー１の場合よりも前中心部５０側に寄せると共に、カップ布１５が第２の部分１１ｂの上方にはみ出る長さを大きくすることが好ましい。
【００３６】
ブラジャーのサイズがＥカップ・Ｆカップである場合には、図１０（Ａ）に示すように、カップ部１０の肉厚をほぼ全面にわたって薄くすることが好ましい。また、図１０（Ｂ）に示すように、カップ部１０における上縁部分１１の第１の部分１１ａ及び第２の部分１１ｂの曲率を、ブラジャー１の場合よりも小さくし、カップ布１５の上縁部分１５ａがカップ部１０の上縁部分とほぼ重なるようにすることが好ましい。
【図面の簡単な説明】
【００３７】
【図１】本発明に係るカップ付き女性用衣類の一例であるブラジャーの正面図である。
【図２】図１に示したブラジャーの背面図である。
【図３】図１におけるＩＩＩ−ＩＩＩ線断面図である。
【図４】カップ部の脇側下部を拡大して示す図である。
【図５】カップ部の脇側上部を拡大して示す図である。
【図６】カップ部の作用を説明する図である。
【図７】図１及び図２に示したブラジャーの効果を説明する図である。
【図８】本発明に係るブラジャーのモニター試験結果を示す図である。
【図９】小さいサイズについてのブラジャーの変形例を示す図である。
【図１０】大きいサイズについてのブラジャーの変形例を示す図である。
【符号の説明】
【００３８】
１…ブラジャー（カップ付き女性用衣類）、１０…カップ部、１１…カップ部の上縁部分、１２…カップ部の下縁部分、１４…ワイヤ部、１４ｂ…中心側の端部、１５…カップ布、１５ｃ…カップ布の脇側部分、２０…脇側パネル部、２０ａ…脇側パネル部の上縁部分、３０…バック部、４０…肩ストラップ部、４１…第１連結部、４２…第２連結部、５０…前中心部、Ｓ…段差部。
【図１】
2009102769.tif 000003
【図２】
2009102769.tif 000004
【図３】
2009102769.tif 000005
【図４】
2009102769.tif 000006
【図５】
2009102769.tif 000007
【図６】
2009102769.tif 000008
【図７】
2009102769.tif 000009
【図８】
2009102769.tif 000010
【図９】
2009102769.tif 000011
【図１０】
2009102769.tif 000012